(57)【要約】      （修正有）【課題】カッターナイフ方式とすることで刃先の切味不良に際して簡単に対応するとともに、床材、壁紙等の内装シート材を施工箇所の床面等を傷つけることなく裁断できること。【解決手段】平板状の接地ガイト板１１と、垂直状態の支持板１２と、接地ガイド板と支持板とを連結する狭小部とより構成された切断補助体１を、カッターナイフ２の先端部に軸支したことを特徴とするシート裁断具。平板状の接地ガイト板の底面を粗面とする。平板状の接地ガイト板に対するカッターナイフの傾斜角度を変更自在とする。【選択図】      図１１
2004329424.tif 000002
【特許請求の範囲】
【請求項１】
平板状の接地ガイト板と、垂直状態の支持板と、接地ガイド板と支持板とを連結する狭小部とより構成された切断補助体を、カッターナイフの先端部に軸支し、
カッターナイフの先端の刃先を接地ガイド板に形成した凹部に位置させ、
接地ガイド板とカッターナイフの刃との間で裁断作用をさせることを特徴とするシート裁断具。
【請求項２】
平板状の接地ガイト板の底面を粗面としたことを特徴とする、請求項１に記載するシート裁断具。
【請求項３】
平板状の接地ガイト板に対するカッターナイフの傾斜角度を変更自在としたことを特徴とする、請求項１に記載するシート裁断具。
【発明の詳細な説明】
【０００１】
【発明の属する技術分野】
本願発明は、カーペット等の床面敷物、壁紙等の壁面材料、その他の内装シート状材料を、施工に際して所望寸法に裁断するための工具に関するものである。より詳しくは、カッターンナイフを利用したシート裁断具に関するものである。
【０００２】
【従来の技術】
この種のシート裁断具に関して、特開平１０−１６６２９５号「シート裁断装置」（特許文献１）および実用新案公報第３０７９３３９号「カッターナイフ」（特許文献２）が公知技術として存在する。
【０００３】
特開平１０−１６６２９５号「シート裁断装置」（特許文献１）は、可動刃の両側に回転自在円盤を設け可動刃の先端を回転自在円盤の外周縁よりも突出させることで、シート材の裁断を容易とするものである。可動刃の刃先の切味不良に際しては可動刃の取替えを必要とする。
次ぎに、実用新案公報第３０７９３３９号「カッターナイフ」（特許文献２）は、カッターナイフ方式とすることで刃先の切味不良に際して簡単に対応することができるが、接地ガイドよりも刃先を突出させているので、施工箇所の床面等を傷つける問題点がある。
【０００４】
【特許文献１】
特開平１０−１６６２９５号「シート裁断装置」
【特許文献２】
実用新案公報第３０７９３３９号「カッターナイフ」
【０００５】
【発明が解決しょうとする課題】
特許発明は、カッターナイフ方式とすることで刃先の切味不良に際して簡単に対応するとともに、施工箇所の床面等を傷つけることの問題点を解消することを課題とする。
【０００６】
【課題を解決するための手段】
本願発明は、平板状の接地ガイト板と、垂直状態の支持板と、接地ガイド板と支持板とを連結する狭小部とより構成された切断補助体を、カッターナイフの先端部に軸支することにより、カッターナイフの先端の刃先を接地ガイド板に形成した凹部に位置させることで、接地ガイド板とカッターナイフの刃との間に供給したシート材を裁断することを特徴とするシート裁断具を提供する。
請求項２の発明は、平板状の接地ガイト板の底面を粗面としたことを特徴とする。
請求項３の発明は、平板状の接地ガイト板に対するカッターナイフの傾斜角度を変更自在としたことを特徴とする。
【０００７】
【発明の実施の形態】
アルミ板材、ステンレス鉄板材等のプレス成形品、硬質プラスチック成形品として、平板状の接地ガイト板と、垂直状態の支持板と、接地ガイド板と支持板とを連結する狭小部とを有する単一成形品として切断補助体を製作する。
カッターナイフのナイフ支持体の先端部にネジ軸を固定し、支持板の基部に形成した孔に前記ネジ軸を貫通させたのち、ナットを取付けることにより、切断補助体をカッターナイフに軸支する。
カッターナイフの先端の刃先を接地ガイド板に形成した凹部に位置させた状態で、前記ナットにより支持板をカッターナイフのナイフ支持体に固定する。
接地ガイド板とカッターナイフの刃との間にシート材を供給し、シート裁断具を作業者方向へ移動することで、シート材を裁断する。
【０００８】
【実施例】
以下、図面に示す実施例にもとづいて、本願発明を詳細に説明する。
図１ないし図５を参昭して、本願発明のシート裁断具Ａは、カッターナイフ２の先端部に切断補助体１を装備して、市販のカッターナイフ２と切断補助体１を一体化することで、低コストで製作可能とするものである。
【０００９】
カッターナイフ２は、カーター刃２１、カーターホルダー２２、本体ケース２３および固定操作具２４とを含み、固定操作具２４は、カーター刃２１の先端の刃先２５をカーホルダー２２の先端より突出させた任意の位置で、カーター刃２１をカーターホルダー２２に定して、刃先２５の位置を設定すべく構成されている。カーターホルダー２２と本体ケース２３とはカシメ２６により互いに固定されている。また折れ線２７より切断スルコトデカーター刃２１は良好な切刃状態に維持可能である。
【００１０】
本発明の実施にあたり、上記のカーターナイフ２について、カーターホルダー２２の先端寄り位置にネジ軸３を植立する。
【００１１】
切断補助体１は、図６ないし図９を参照して、平板状の接地ガイト板１１と、垂直状態の支持板１２と、接地ガイド板１１と支持板１２とを連結する狭小部１３とを有する単一成形品（アルミ板材、ステンレス鉄板材等のプレス成形品、硬質プラスチック成形品）として製作する。即ち、細長平板状の接地ガイト板１１の先端部の一側延長部分を直角に上方に折曲げて狭小部１３を形成し、狭小部１３の上方に延長し更に後方かつ傾斜方向の延長部分で支持板１２を形成した構成とする。支持部１２は、前方部１２ａ、中間部１２ｂ、後部１２ｃで構成した。
【００１２】
支持板１２には後端部にネジ軸３を貫通するための孔１４を形成する。
【００１３】
図４を参照して、ネジ軸３に支持板１２の孔１４を挿入したのち、スプリングワッシャー４、ワッシャー５を挿入ののち、ナット６を螺着することにより、ネジ軸３を介して切断補助体１の支持板１２とカッターナイフ２のカーターホルダー２２とを固定自在とする。
【００１４】
肉厚１ｍｍ以下のステンレス鉄板の成形品として製作した場合には、狭小部１３の厚さを素材のままとして薄く加工する必要がないが、肉厚２ｍｍ以上のアルミ板の成形品、硬質プラスチック成形品の場合には、狭小部１３のみ厚さを１ｍｍ程度に薄くするか、図９に示すごとく、少なくとも後方側を削った形状としたシート切断誘導箇所Ｂを形成する。
【００１５】
シート材の裁断作業にあたり、カッターナイフ２のナイフ支持体２２の先端部に固定したネジ３軸と、切断補助体１の支持板１２の孔１４とを介して、カッターナイフ２に軸支されている切断補助体１を、切断補助体１の接地ガイド板１１に形成した凹部１５にカッターナイフ２の先端刃先Ｐを位置させた状態で、前記ナットにより支持板をカッターナイフのナイフ支持体に固定する（図１０参照）。
【００１６】
図１１は、本願発明のシート裁断具Ａによるシート材Ｗの裁断状態を示す。
接地ガイド板１１とカッターナイフ刃２１との間にシート材Ｗを位置させた状態で、シート裁断具Ａを作業者方向へ移動することで、シート材Ｗを裁断する。
【００１７】
この際、シート材Ｗの切断箇所Ｑは狭小部１３（シート切断部誘導箇所Ｂ）を通過することで、裁断済みのシート材はシート裁断具Ａの前方へ移動する。
【００１８】
図１３を参照して、接地ガイト板１１の底面に、多数の底面凹部１６を形成して、底面を粗面とすることにより、接地ガイト板１１とシート材Ｗとの摩擦抵抗を減少させて、シート裁断具Ａの滑りを良くして裁断作業の迅速化をはかることができる。
【００１９】
図１４に示すごとく、接地ガイド板１１の上面に形成する表面凹部１５を複数個とすることで、カッターナイフ２のカッターナイフ刃２１の刃先２５と係止する表面凹部１５の選択により、接地ガイト板１１に対するカッターナイフ２の傾斜角度を変更自在とすることができる。更に、ネジ軸を支点とする支持板１２の回動を規制する突起と該突起に対応する同心配置の複数個の凹部を、支持板１２とナイフ支持体２２に形成することで、接地ガイト板１１に対するカッターナイフ２の傾斜角度を作業者の所望に応じて変更自在とし且つ固定を確実にすることができる。
【００２０】
アルミ板材のプレス成型品とした場合に、プレス型に接地ガイド板１１の上面を形成する部分に多数の突起を形成することで、図１５に示すごとく、接地ガイド板１１の表面側に多数の凹部と裏面側に多数の凸部を形成して、表面側の多数の凹部の一部を前記表面凹部１５とし裏面側の多数の凸部を前記底面凹部１６とすることで、傾斜角度規制用複数個の前記表面凹部１５と、裏面を粗面とするための多数の前記凹部１６に代わる突起１７を簡単に形成することができる。
【００２１】
本発明のシート裁断具Ａは、床材、壁材等の建築内装施工用の工具として特に有効であるが、刃先が露出していないことによる安全性から、学童用の文具品（例えば、低学年の紙工作用の安全ナイフ）としても利用価値を有するものである。
【００２２】
【発明の効果】
本発明のシート裁断具Ａは、刃先が露出していないことにより、作業の安全性を確保するとともに、床面等を損傷することが無い効果を有する。更に、カッターナイフを利用することで、製品コストを低減するとともに刃先の磨耗に対し迅速に対処できる効果を有する。
【図面の簡単な説明】
【図１】本願発明の実施例を示すシート裁断具の背面図。
【図２】同じく正面図。
【図３】同じく平面図。
【図４】同じく分解平面図。
【図５】同じく分解正面図。
【図６】本願発明の要部である切断補助体の斜視図。
【図７】同じく正面図。
【図８】同じく平面図。
【図９】切断補助体の狭小部を示し、（ａ）図は正面図、（ｂ）図は平面図。
【図１０】カッターナイフ刃先と切断補助体の接地ガイド板との係止状態を説明し、（ａ）図は正面図、（ｂ）図は平面図。
【図１１】本願発明のシート裁断具によるシート材裁断状態をシート材縦断面で示す説明図。
【図１２】狭小部の作用を示し、（ａ）図は狭小部の縦断面図、（ｂ）図は狭小部の縦断面図。
【図１３】接地ガイド板の底面凹部を説明し、（ａ）図は接地ガイド板の底面図、（ｂ）図は縦断面図。
【図１４】接地ガイド板に対するカッターナイフの傾斜角度の選択機構を示し、（ａ）図は接地ガイド板の平面図。（ｂ）図は同じく縦断面図、（ｃ）図は角度変更の説明図。
【図１５】プレス加工により表面凹部、底面凸部の形成した接地ガイド板を示し、（ａ）図は接地ガイド板の平面図。（ｂ）図は同じく縦断面図、（ｃ）図は同じく底面図。
【符号の説明】
Ａ    シート裁断具
Ｗ    シート材
１    切断補助体
２    カッターナイフ
３    ネジ軸
１１    接地ガイト板
１２    支持板
１３    狭小部
１４    孔
２１      カーター刃
２２    カーターホルダー
２３    本体ケース
２５    刃先
【図１】
2004329424.tif 000003
【図２】
2004329424.tif 000004
【図３】
2004329424.tif 000005
【図４】
2004329424.tif 000006
【図５】
2004329424.tif 000007
【図６】
2004329424.tif 000008
【図７】
2004329424.tif 000009
【図８】
2004329424.tif 000010
【図９】
2004329424.tif 000011
【図１０】
2004329424.tif 000012
【図１１】
2004329424.tif 000013
【図１２】
2004329424.tif 000014
【図１３】
2004329424.tif 000015
【図１４】
2004329424.tif 000016
【図１５】
2004329424.tif 000017